(57)【要約】【課題】煩雑な作業を必要とせず、低コストに既存の画像表示パネルをミラーディスプレイとして利用できる画像表示パネル用前面ミラー、及び該画像表示パネル用前面ミラーを用いたミラーディスプレイを提供することを目的とする。【解決手段】画像表示パネルに装着可能な枠体１２と、枠体１２の開口部１４に取り付けられ、前記画像表示パネルの前面側に配置されるハーフミラー１６と、を備える、画像表示パネル用前面ミラー１０。また、画像表示パネルと、前記画像表示パネルに装着された画像表示パネル用前面ミラー１０とを備える、ミラーディスプレイ。【選択図】図１
2018189818.tif 000002
【特許請求の範囲】
【請求項１】
画像表示パネルに装着される枠体と、
前記枠体に取り付けられ、前記画像表示パネルの前面側に配置されるハーフミラーと、を備える、画像表示パネル用前面ミラー。
【請求項２】
前記ハーフミラーの裏面側に、前記ハーフミラーの一部の領域を覆うように設けられた遮光体をさらに備える、請求項１に記載の画像表示パネル用前面ミラー。
【請求項３】
前記ハーフミラーの前面に反射防止層が設けられている、請求項１又は２に記載の画像表示パネル用前面ミラー。
【請求項４】
画像表示パネルと、前記画像表示パネルに装着された請求項１〜３のいずれか一項に記載の画像表示パネル用前面ミラーとを備える、ミラーディスプレイ。
【請求項５】
画像表示パネルと、前記画像表示パネルの前面側に、前記画像表示パネルの表示部全体を覆うように設けられたハーフミラーと、前記画像表示パネルと前記ハーフミラーの間に、前記ハーフミラーの一部の領域を覆うように設けられた遮光体と、を備える、ミラーディスプレイ。
【発明の詳細な説明】
【技術分野】
【０００１】
本発明は、画像表示パネル用前面ミラー及びミラーディスプレイに関する。
【背景技術】
【０００２】
美容室や理容室等の店舗や個人用の化粧設備にはミラーが広く用いられている。しかし、通常、ミラーのみを使用する場合は該ミラーに映る自身の特定の部分のみしか見ることができず、特に自身の後ろ側を見るには別にミラーを用意して合わせ鏡するとする必要があり煩雑である。
【０００３】
ところで、画像表示パネルの前面側にハーフミラーを設け、カメラで撮影した映像等を画像表示パネルに映して見たり、ハーフミラーに反射した像を見たりすることができるミラーディスプレイが知られている（例えば、特許文献１、２）。このようなミラーディスプレイを用いれば、例えば、自身の後ろ側はカメラで撮影して画像表示パネルに映すことで視認できる一方、自身の前側はハーフミラーで反射した像として視認することができる。
【先行技術文献】
【特許文献】
【０００４】
【特許文献１】特開２００２−２２９４９４号公報
【特許文献２】特許第５２４９７４３号公報
【発明の概要】
【発明が解決しようとする課題】
【０００５】
しかし、特許文献１、２のような従来のミラーディスプレイを用いる場合は、ハーフミラーが備わっていない既存の画像表示パネルを該ミラーディスプレイに置き換えなければならず、煩雑な作業を必要とするうえ、コスト面でも不利である。
また、特許文献１、２のような従来のミラーディスプレイでは、特に画像表示パネルに表示された像とハーフミラーで反射された像とを同時に見るときに、画像表示パネルから発せられる光が邪魔となるために、ハーフミラーで反射された像の視認性が低下しやすい。
【０００６】
本発明は、煩雑な作業を必要とせず、低コストに既存の画像表示パネルをミラーディスプレイとして利用できるようにする画像表示パネル用前面ミラー、及び該画像表示パネル用前面ミラーを用いたミラーディスプレイを提供することを目的とする。また、本発明は、画像表示パネルに表示された像とハーフミラーで反射された像とを同時に見る場合であっても、ハーフミラーで反射された像の視認性に優れたミラーディスプレイを提供することを目的とする。
【課題を解決するための手段】
【０００７】
本発明は、以下の構成を有する。
［１］画像表示パネルに装着される枠体と、前記枠体に取り付けられ、前記画像表示パネルの前面側に配置されるハーフミラーと、を備える、画像表示パネル用前面ミラー。
［２］前記ハーフミラーの裏面側に、前記ハーフミラーの一部の領域を覆うように設けられた遮光体をさらに備える、［１］に記載の画像表示パネル用前面ミラー。
［３］前記ハーフミラーの前面に反射防止層が設けられている、［１］又は［２］に記載の画像表示パネル用前面ミラー。
［４］画像表示パネルと、前記画像表示パネルに装着された［１］〜［３］のいずれかに記載の画像表示パネル用前面ミラーとを備える、ミラーディスプレイ。
［５］画像表示パネルと、前記画像表示パネルの前面側に、前記画像表示パネルの表示部全体を覆うように設けられたハーフミラーと、前記画像表示パネルと前記ハーフミラーの間に、前記ハーフミラーの一部の領域を覆うように設けられた遮光体と、を備える、ミラーディスプレイ。
【発明の効果】
【０００８】
［１］〜［３］に係る発明の画像表示パネル用前面ミラーを用いれば、煩雑な作業を必要とせず、低コストに既存の画像表示パネルをミラーディスプレイとして利用することができる。
［４］に係る発明のミラーディスプレイであれば、煩雑な作業を必要とせず、低コストに既存の画像表示パネルをミラーディスプレイとして利用することができる。
［５］に係る発明のミラーディスプレイであれば、画像表示パネルに表示された像とハーフミラーで反射された像とを同時に見る場合であっても、ハーフミラーで反射された像の視認性に優れている。
【図面の簡単な説明】
【０００９】
【図１】本発明の画像表示パネル用前面ミラーの一例を前面側から見た斜視図である。
【図２】図１の画像表示パネル用前面ミラーを裏面側から見た斜視図である。
【図３】図１の画像表示パネル用前面ミラーのＡ−Ａ断面図である。
【図４】図１の画像表示パネル用前面ミラーのＢ−Ｂ断面図である。
【図５】図１の画像表示パネル用前面ミラーにおける背面板を取り除いた状態を裏面側から見た斜視図である。
【図６】画像表示パネル用前面ミラーにおけるハーフミラー部分の断面図である。
【図７】画像表示装置が備える画像表示パネルに図１の画像表示パネル用前面ミラーを装着したミラーディスプレイを示した斜視図である。
【図８】図７のミラーディスプレイのＣ−Ｃ断面図である。
【図９】本発明の画像表示パネル用前面ミラーの他の例を裏面側から見た斜視図である。
【図１０】本発明のミラーディスプレイの一例における枠体以外の部分を示した斜視図である。
【図１１】図１０のミラーディスプレイのＤ−Ｄ断面図である。
【発明を実施するための形態】
【００１０】
［第１の発明］
第１の発明は、画像表示パネルに装着される枠体と、前記枠体に取り付けられ、前記画像表示パネルの前面側に配置されるハーフミラーと、を備える、画像表示パネル用前面ミラーである。第１の発明の画像表示パネル用前面ミラーは、例えば、既存の画像表示パネルに装着することで、ミラーディスプレイとして使用することができる。
【００１１】
以下、第１の発明の画像表示パネル用前面ミラーの一例について、図１〜５に基づいて説明する。なお、以下の説明において例示される図の寸法等は一例であって、本発明はそれらに必ずしも限定されるものではなく、その要旨を変更しない範囲で適宜変更して実施することが可能である。
【００１２】
本実施形態の画像表示パネル用前面ミラー１０は、画像表示パネルに装着可能な枠体１２と、枠体１２の開口部１４に取り付けられたハーフミラー１６と、遮光体１８と、背面板２０とを備えている。
【００１３】
この例の枠体１２は、正面視形状が横長の長方形状の環状になっている正面部２２と、正面部２２の外縁から裏面側に向かって立ち上がる四角筒状の筒部２４とを備えている。枠体１２は、筒部２４の内側に正面視形状が横長の長方形状の画像表示パネルが嵌まり込むようになっている。
なお、枠体１２の形状は、前記した形状には限定されず、装着対象の画像表示パネルの形状に応じて適宜設定すればよい。例えば画像表示パネルの正面視形状が縦長の長方形状の場合は、枠体１２の正面視形状も縦長の長方形状とすることができる。
【００１４】
枠体１２の厚さは、強度、軽量化等を考慮して適宜決定すればよく、例えば、２０〜１００ｍｍとすることができる。
【００１５】
枠体１２を形成する材料としては、特に限定されず、例えば、合成樹脂、金属等が挙げられる。なかでも、枠体１２としては、加工性及び剛性の点から、金属製が好ましい。枠体１２を形成する材料としては、１種を単独で使用してもよく、２種以上を併用してもよい。
【００１６】
枠体１２を形成する金属としては、アルミニム、ステンレス等が挙げられる。
枠体１２を形成する合成樹脂としては、熱可塑性樹脂、熱硬化性樹脂のいずれも使用可能である。熱可塑性樹脂としては、ポリエチレン樹脂、ポリプロビレン樹脂、ポリスチレン樹脂、ＡＢＳ共重合体樹脂、ポリメタクリル酸メチル樹脂等が挙げられる。熱硬化性樹脂としては、ウレタン樹脂、フェノール樹脂、メラミン樹脂、アクリル酸エステル樹脂等が挙げられる。
【００１７】
枠体１２の正面部２２には、正面視形状が横長の長方形状の開口部１４が形成されている。開口部１４の正面視形状及び大きさは、画像表示パネルに表示される映像が充分に視認できる形状及び大きさであればよく、画像表示パネルの表示部の形状及び大きさに応じて適宜設定すればよい。
【００１８】
枠体１２の開口部１４には、正面視形状が横長の長方形状のハーフ（干渉膜）ミラー１６が取り付けられている。ハーフミラー１６は、入射してくる光の一部を反射し、一部を透過させることができる。ハーフミラー１６の裏面１６ｂ側に画像表示パネルを配置した状態では、該画像表示パネルに表示された映像がハーフミラー１６を透過し、ハーフミラー１６の前面１６ａ側から該映像を見ることができる。また、同時にハーフミラー１６の前面１６ａが鏡面としても機能する。
ハーフミラー１６の正面視形状は、開口部１４の形状に応じて適宜設定すればよい。
【００１９】
ハーフミラー１６としては、入射光の一部を透過し、かつ一部を反射する機能を有するミラーであればよく、公知のハーフミラーを使用することができる。
ハーフミラー１６の具体的な態様としては、例えば図６に例示したものが挙げられる。この例のハーフミラー１６は、透明基材２６と、透明基材２６の裏面側、すなわち画像表示パネルが配置される側に設けられたハーフミラー層２８とを備えている。
【００２０】
透明基材２６を構成する材料としては、特に限定されず、例えば、ポリメタクリル酸メチル、ポリカーボネート、エポキシ樹脂等の透明樹脂材料；ガラス等が挙げられる。
透明基材の厚みは、例えば、０．５〜５ｍｍとすることができる。
【００２１】
ハーフミラー層２８は、ハードコート層２９と、３つの低屈折率層２８ａと、３つの高屈折率層２８ｂとを備えている。ハーフミラー層２８においては、透明基材２６の裏面にハードコート層２９が設けられ、ハードコート層２９の透明基材２６と反対側に、透明基材２６側から低屈折率層２８ａ、高屈折率層２８ｂ、低屈折率層２８ａ、高屈折率層２８ｂ、低屈折率層２８ａ、高屈折率層２８ｂがこの順に交互に設けられている。
ハーフミラー層における低屈折率層と高屈折率層の数は、３つには限定されず、２つ以下であってもよく、４つ以上であってもよい。ハーフミラー層における低屈折率層と高屈折率層の数が多いほど、反射率が高くなる。
【００２２】
ハードコート層２９としては、透明性を有し、耐擦傷性を向上させる公知のハードコート層を採用することができ、例えば、例えば、熱可塑性樹脂、熱硬化性樹脂、電離放射線硬化性樹脂等を用いることができる。
ハードコート層２９の厚さは、耐擦傷性を発揮でき、十分な強度を有するものであればよく、例えば、０．５〜３０μｍとすることができる。
ハードコート層２９の形成方法としては、均一な膜厚で形成できるものであればよく、例えば、公知のコーティング法を用いることができる。
【００２３】
低屈折率層２８ａを形成する材料としては、公知の材料を使用でき、例えば、シリカ粒子、ケイ素化合物、非晶質フッ素系樹脂等が挙げられる。低屈折率層２８ａを形成する材料としては、１種を単独で使用してもよく、２種以上を併用してもよい。
高屈折率層２８ｂを形成する材料としては、公知の材料を使用でき、例えば、チタン化合物、ジルコニア化合物等が挙げられる。高屈折率層２８ｂを形成する材料としては、１種を単独で使用してもよく、２種以上を併用してもよい。
【００２４】
低屈折率層２８ａの屈折率は、１．２９〜１．４８が好ましく、１．２９以上１．４５未満がより好ましい。
高屈折率層２８ｂの屈折率は、１．６０〜２．３０が好ましく、１．７０〜２．１０がより好ましい。
低屈折率層２８ａの屈折率と高屈折率層２８ｂの屈折率との差は、０．１５〜１．０が好ましく、０．２０〜０．８０がより好ましい。
【００２５】
低屈折率層２８ａ及び高屈折率層２８ｂの厚さはそれぞれ、４０〜２００ｎｍが好ましく、５０〜１１０ｎｍがより好ましい。厚さが前記範囲内であれば、反射光が着色せず、白色光となる。
低屈折率層２８ａ及び高屈折率層２８ｂの形成方法としては、均一な膜厚で形成できるものであればよく、例えば、公知のコーティング法を用いることができる。
【００２６】
なお、ハーフミラー１６としては、前記した態様には限定されず、例えば、透明基材及び該透明基材上に形成された金属薄膜とを備えるハーフミラーを用いてもよい。
金属薄膜を構成する材料としては、特に限定されず、例えば、チタン、クロム、アルミニウム、銀、錫等が挙げられる。金属薄膜は、例えば、メッキ、蒸着、スパッタ等により形成することができる。金属薄膜の厚みは、例えば、１〜１００ｎｍとすることができる。
【００２７】
ハーフミラー１６の反射率は、１５〜６０％が好ましく、２０〜５０％がより好ましい。ハーフミラー１６の反射率が前記範囲の下限値以上であれば、ハーフミラー１６の前面１６ａ側から反射像を視認しやすくなり、ミラーとしての機能が充分に得られやすい。ハーフミラー１６の反射率が前記範囲の上限値以下であれば、ハーフミラー１６の裏面１６ｂ側に位置する画像表示パネルに表示された映像を視認しやすくなる。
【００２８】
この例では、図６に示すように、ハーフミラー１６の前面１６ａには、反射防止層３０が設けられている。このように、第１の発明では、ハーフミラーの前面に反射防止層が設けられていることが好ましい。これにより、ハーフミラー１６の裏面１６ｂ側に位置する画像表示パネルに表示された映像がより視認しやすくなる。
【００２９】
反射防止層３０は、ハーフミラー１６側から順にハードコート層３１と、高屈折率層３０ａと、低屈折率層３０ｂとを備えている。ハードコート層３１としては、ハーフミラー層２８で挙げたハードコート層２９と同じものが挙げられる。
高屈折率層３０ａを形成する材料としては、特に限定されず、例えば、チタン化合物、ジルコニア化合物等が挙げられる。高屈折率層３０ａを形成する材料としては、１種を単独で使用してもよく、２種以上を併用してもよい。
低屈折率層３０ｂを形成する材料としては、特に限定されず、例えば、シリカ粒子、ケイ素化合物、非晶質フッ素系樹脂等が挙げられる。低屈折率層３０ｂを形成する材料としては、１種を単独で使用してもよく、２種以上を併用してもよい。
【００３０】
高屈折率層３０ａの屈折率は、１．６０〜２．３０が好ましく、１．７０〜２．１０がより好ましい。
低屈折率層３０ｂの屈折率は、１．２９〜１．４８が好ましく、１．２９以上１．４５未満がより好ましい。
高屈折率層３０ａの屈折率と低屈折率層３０ｂの屈折率との差は、０．１５〜１．０が好ましく、０．２０〜０．８０がより好ましい。
【００３１】
高屈折率層３０ａ及び低屈折率層３０ｂの厚さはそれぞれ、４０〜２００ｎｍが好ましく、５０〜１１０ｎｍがより好ましい。厚さが前記範囲内であれば、反射光が着色せず、白色光となる。
高屈折率層３０ａ及び低屈折率層３０ｂの形成方法としては、均一な膜厚で形成できるものであればよく、例えば、公知のコーティング法を用いることができる。
【００３２】
この例の画像表示パネル用前面ミラー１０では、ハーフミラー１６の裏側に、ハーフミラー１６を左右に二分したときの一方の領域を覆うように正面視形状が矩形状の遮光体１８が設けられている。第１の発明では、このようにハーフミラーの裏面側に、ハーフミラーの一部の領域を覆うように設けられた遮光体をさらに備えることが好ましい。これにより、ハーフミラー１６における遮光体１８を設けた領域では、裏面１６ｂ側から前面１６ａ側に向かって進む光が遮光体１８で遮られることで、ハーフミラー１６を透過しなくなる。このように、ハーフミラー１６における遮光体１８を設けた領域では、ハーフミラー１６の裏面１６ｂ側に位置する画像表示パネルから発せられた光がハーフミラー１６を透過しないため、ハーフミラー１６による反射像の視認性が高まる。
一方、ハーフミラー１６における遮光体１８が設けられていない領域では、ハーフミラー１６の裏面１６ｂ側に位置する画像表示パネルから発せられた光がハーフミラー１６を透過するため、画像表示パネルに映された映像をハーフミラー１６の前面１６ａ側から視認することができる。
【００３３】
例えば、ハーフミラー１６の裏面１６ｂ側に位置する画像表示パネルにおける、ハーフミラー１６における遮光体１８が設けられていない領域に対応する領域に映像を映す。また、ハーフミラー１６における遮光体１８が設けられている領域に反射像が映るようにする。これにより、画像表示パネルに表示した映像と反射像とを優れた視認性で同時に視認することができる。
【００３４】
遮光体１８の正面視形状及び大きさは、ハーフミラー１６において画像表示パネルの映像を透過する領域と、反射像を見る領域をどのように設定するかによって適宜設定すればよい。
遮光体１８の厚さは、特に限定されず、例えば、０．２〜３ｍｍとすることができる。
遮光体１８の透過率は、１％以下であることが好ましい。
遮光体１８の色は、画像表示パネルの映像が表示されていない状態の色と同じ黒とすることが好ましい。
【００３５】
遮光体１８としては、特に限定されず、遮光板であってもよく、遮光フィルムであってもよい。遮光体１８としては、表面に光沢がないものを用いる。「表面に光沢がない」とは、光沢度（グロス値）が５以下（堀場製作所株式会社製のグロスチェッカーＩＧ−３２０を用いて測定した）であることを意味する。
遮光体１８を形成する材料としては、光を遮ることができるものであればよく、例えば、フェノール樹脂、ポリエステル樹脂、ポリエチレン樹脂、ポリプロピレン樹脂等が挙げられる。遮光体１８を形成する材料としては、１種を単独で使用してもよく、２種以上を併用してもよい。
【００３６】
枠体１２における背面側には背面板２０が取り付けられている。枠体１２を画像表示パネルに装着した状態で枠体１２の背面側に背面板２０が取り付けられることで、枠体１２を画像表示パネルにしっかりと固定することができる。
【００３７】
背面板２０の正面視形状及び大きさは、画像表示パネルの形状等に応じて適宜設定すればよい。この例の背面板２０の正面視形状は横長の長方形状であり、枠体１２の筒部２４の背面側に取り付けたときに筒部２４の下側が開口するようになっている。
背面板２０の厚さは、特に限定されず、例えば、１〜５ｍｍとすることができる。
【００３８】
背面板２０を形成する材料としては、例えば、合成樹脂、金属等が挙げられる。背面板２０を形成する合成樹脂、金属としては、枠体１２を形成する合成樹脂、金属として挙げたものと同じものが挙げられる。背面板２０を形成する材料としては、１種を単独で使用してもよく、２種以上を併用してもよい。
【００３９】
画像表示パネル用前面ミラー１０の製造方法は、特に限定されない。例えば、枠体１２を搬送しながら、その枠体１２の開口部１４にハーフミラー１６を取り付け、ハーフミラー１６の裏面１６ｂ側に遮光体１８を取り付けた後、背面板２０を取り付ける方法等が挙げられる。枠体１２の開口部１４にハーフミラー１６を取り付ける方法、及びハーフミラー１６の裏面１６ｂ側に遮光体１８を取り付ける方法には、公知の方法を採用することができる。
【００４０】
画像表示パネル用前面ミラー１０を、既存の画像表示パネルに装着することでミラーディスプレイとすることができる。例えば、画像表示装置４０が備える画像表示パネル４２に画像表示パネル用前面ミラー１０を装着する態様について、図７及び図８に基づいて説明する。
開口部１４にハーフミラー１６を取り付け、さらにハーフミラー１６の裏側に遮光体１８を取り付けた状態の枠体１２を、画像表示装置４０が備える画像表示パネル４２に対してその前面側から嵌め込む。そして、枠体１２の背面側に背面板２０を取り付け、枠体１２を画像表示パネル４２に装着した状態で固定する。これにより、画像表示パネル４２と、画像表示パネル４２に装着された画像表示パネル用前面ミラー１０とを備え、画像表示パネル４２の前面側に表示部全体を覆うようにハーフミラー１６が配置されたミラーディスプレイ１００を形成することができる。このように、画像表示パネル用前面ミラー１０を用いることで、煩雑な作業を必要とせず、低コストに既存の画像表示パネル４２をミラーディスプレイ１００として利用することができる。
【００４１】
ミラーディスプレイ１００では、ハーフミラー１６における遮光体１８を設けた領域１１２においては、画像表示パネル４２から発せられた光は遮光体１８で遮られる。そのため、領域１１２においては、ハーフミラー１６による反射像を優れた視認性で視認することができる。また、ハーフミラー１６における遮光体１８が設けられていない領域１１４では、画像表示パネル４２から発せられた光がハーフミラー１６を透過するため、画像表示パネル４２に映された映像をハーフミラー１６の前面１６ａ側から視認することができる。このように、画像表示パネル４２の領域１１４に映像を映すことで、ハーフミラー１６における領域１１２に映った反射像と、領域１１４に映された映像とを同時に優れた視認性で視認することができる。
【００４２】
以上説明したように、第１の発明の画像表示パネル用前面ミラーは、画像表示パネルに装着可能な枠体の開口部にハーフミラーが取り付けられている。そのため、既存の画像表示パネルに枠体を装着することで、画像表示パネルの前面側にハーフミラーが配置されたミラーディスプレイを、簡便に低コストに得ることができる。
また、第１の発明の画像表示パネル用前面ミラーにおいて、ハーフミラーの裏面側にハーフミラーの一部の領域を覆うように遮光体を設けることで、画像表示パネルに表示された像とハーフミラーで反射された像とを同時に見る場合であっても、画像表示パネルに表示された像とハーフミラーで反射された像の両方を優れた視認性で視認することができる。
【００４３】
なお、第１の発明の画像表示パネル用前面ミラーは、前記した画像表示パネル用前面ミラー１０には限定されない。例えば、第１の発明の画像表示パネル用前面ミラーは、ハーフミラーを左右に二分した一方の領域を覆うように遮光体を設ける態様には限定されず、ハーフミラーにおいて遮光体で画像表示パネルからの光を遮る領域は、適宜設定することができる。また、第１の発明の画像表示パネル用前面ミラーは、遮光体を備えないものであってもよい。
【００４４】
第１の発明の画像表示パネル用前面ミラーは、図９に例示した画像表示パネル用前面ミラー１０Ａであってもよい。図９における図２と同じ部分は同符合を付して説明を省略する。画像表示パネル用前面ミラー１０Ａは、枠体１２の代わりに枠体１２Ａを備え、背面板２０を備えず、３つのクリップ部３２を備える以外は画像表示パネル用前面ミラー１０と同様の態様である。
【００４５】
枠体１２Ａは、正面視形状が横長の長方形状の環状になっている正面部２２と、正面部２２の上端部から裏面側に突き出るように設けられた上縁に沿って延びる上面部２３とを備えている。
【００４６】
３つのクリップ部３２は、枠体１２Ａにおける上面部２３の長さ方向に間隔を開けて、上面部２３からそれぞれが下方に垂れ下がるように設けられている。３つのクリップ部３２は、それぞれ下端部に向かうにつれてハーフミラー１６に近づくように設けられている。画像表示パネル用前面ミラー１０Ａにおいては、ハーフミラー１６とクリップ部３２によって画像表示部を挟み込むようにして、画像表示パネルの前面側に枠体１２Ａを装着することができる。
【００４７】
［第２の発明］
第２の発明のミラーディスプレイは、画像表示パネルと、画像表示パネルの前面側に、画像表示パネルの表示部全体を覆うように設けられたハーフミラーと、画像表示パネルとハーフミラーの間に、ハーフミラーの一部の領域を覆うように設けられた遮光体と、を備える。第２の発明のミラーディスプレイは、画像表示パネルに表示された像とハーフミラーで反射された像とを同時に見る場合であっても、画像表示パネルに表示された像とハーフミラーで反射された像の両方を優れた視認性で視認することができる。
【００４８】
以下、第２の発明のミラーディスプレイの一例について、図１０及び図１１に基づいて説明する。なお、以下の説明において例示される図の寸法等は一例であって、本発明はそれらに必ずしも限定されるものではなく、その要旨を変更しない範囲で適宜変更して実施することが可能である。
【００４９】
本実施形態のミラーディスプレイ２００は、画像表示パネル２１０と、ハーフミラー２２０と、遮光体２３０とを備えている。ハーフミラー２２０は、枠体２２２（図１０では不図示）に取り付けられた状態で、画像表示パネル２１０の前面側に、画像表示パネル２１０の表示部全体を覆うように設けられている。遮光体２３０は、画像表示パネル２１０とハーフミラー２２０の間に、ハーフミラー２２０における半分の領域を覆うように設けられている。
【００５０】
画像表示パネル２１０としては、特に限定されず、公知の画像表示パネルを採用することができる。
画像表示パネル２１０の正面視形状は、特に限定されず、通常は矩形状である。
【００５１】
ハーフミラー２２０及び遮光体２３０としては、特に限定されず、第１の発明で挙げたハーフミラー及び遮光体と同じものが挙げられる。
【００５２】
ミラーディスプレイ２００では、ハーフミラー２２０の裏側に、ハーフミラー２２０を左右に二分したときの一方の領域を覆うように正面視形状が矩形状の遮光体２３０が設けられている。これにより、ハーフミラー２２０における遮光体２３０を設けた領域では、画像表示パネル２１０から発せられた光が遮光体２３０で遮られる。そのため、ハーフミラー２２０における遮光体２３０を設けた領域では、画像表示パネル２１０から発せられた光が邪魔にならず、ハーフミラー２２０による反射像の視認性が高まる。これに対して、ハーフミラー２２０における遮光体２３０が設けられていない領域では、画像表示パネル２１０から発せられた光がハーフミラー２２０を透過するため、画像表示パネル２１０に映された映像をハーフミラー２２０の前面２２０ａ側から視認することができる。
このように、ミラーディスプレイ２００では、画像表示パネル２１０における遮光体２３０がない領域に映像を映すことで、その映像とハーフミラー２２０における遮光体２３０が設けられた領域に映った反射像とを、同時に優れた視認性で視認することができる。
【００５３】
ミラーディスプレイ２００の製造方法は、特に限定されない。例えば、画像表示パネル２１０を搬送しながら、その画像表示パネル２１０の前面側に遮光体２３０を取り付けた後、さらにディスプレイの枠体２２２の開口部に取り付けた状態のハーフミラー２２０を取り付ける方法等が挙げられる。枠体２２２の開口部にハーフミラー２２０を取り付ける方法、及び画像表示パネル２１０に遮光体２３０を取り付ける方法には、公知の方法を採用することができる。
【００５４】
以上説明したように、第２の発明のミラーディスプレイにおいては、画像表示パネルと、画像表示パネルの前面側に設けられたハーフミラーの間に、ハーフミラーの一部の領域を覆うように遮光体が設けられている。そのため、画像表示パネルに表示された像とハーフミラーで反射された像とを同時に見る場合であっても、遮光体が設けられている領域では画像表示パネルの光が邪魔にならないため、画像表示パネルに表示された像とハーフミラーで反射された像の両方を優れた視認性で視認することができる。
【００５５】
なお、第２の発明のミラーディスプレイは、前記したミラーディスプレイ２００には限定されない。例えば、第２の発明のミラーディスプレイは、ハーフミラーを左右に二分した一方の領域を覆うように遮光体を設ける態様には限定されず、ハーフミラーにおいて遮光体で画像表示パネルからの光を遮る領域は、適宜設定することができる。
【符号の説明】
【００５６】
１０，１０Ａ…画像表示パネル用前面ミラー、１２，１２Ａ…枠体、１４…開口部、１６…ハーフミラー、１８…遮光体、２０…背面板、３０…反射防止層、４２…画像表示パネル、１００，２００…ミラーディスプレイ、２１０…画像表示パネル、２２０…ハーフミラー、２３０…遮光体。
【図１】
2018189818.tif 000003
【図２】
2018189818.tif 000004
【図３】
2018189818.tif 000005
【図４】
2018189818.tif 000006
【図５】
2018189818.tif 000007
【図６】
2018189818.tif 000008
【図７】
2018189818.tif 000009
【図８】
2018189818.tif 000010
【図９】
2018189818.tif 000011
【図１０】
2018189818.tif 000012
【図１１】
2018189818.tif 000013